(57)【要約】【課題】ユーザの認証を可能とする通信装置において、ユーザの煩わしさを増加させることなく、セキュリティ、特に紛失時におけるセキュリティを向上させることを目的とする。【解決手段】ユーザの認証を可能とする通信装置において、送信側で無線認証信号を発生し、受信側で前記無線認証信号を受信し、前記無線認証信号に基づきユーザ認証を行うことで、セキュリティ、特に紛失時におけるセキュリティを向上させることができる。【選択図】  図４
2004235952.tif 000002
【特許請求の範囲】
【請求項１】
ユーザの認証が可能な通信装置であって、送信側において無線認証信号を発生する無線認証信号発生手段を具備し、受信側において前記無線認証信号を受信する受信部と、前記無線認証信号を用いたユーザの認証および通信装置における認証を行う認証部と、前記認証部の認証結果より前記通信装置の操作の制限処理を行う機能部とを具備することを特徴とする通信装置。
【請求項２】
前記無線認証信号発生手段は、ユーザの体内、または体外に装着されたことを特徴とする請求項１記載の通信装置。
【請求項３】
前記認証部は、通信装置における認証方法として暗証番号認証を使用することを特徴とする請求項１記載の通信装置。
【請求項４】
前記認証部は、通信装置における認証方法として、生体識別技術を用いた認証を使用することを特徴とする請求項１記載の通信装置。
【請求項５】
前記認証部は、認証の方法に合格する度合いが高い場合は、前記ユーザの権限を高くすることが可能な請求項１、３、４のいずれかに記載の通信装置。
【請求項６】
前記認証の方法に合格する度合いは、複数の異なる認証の方法のうちどれだけ多く合格したか否かにより決定することを特徴とする請求項５記載の通信装置。
【請求項７】
通信装置が圏外に出た場合に、一時的に前記ユーザの権限を保留することが可能な請求項１、３乃至６のいずれかに記載の通信装置。
【請求項８】
前記機能部は、通信装置の操作の制限処理として通信装置の機能書き換えを制限することを特徴とする請求項１記載の通信装置。
【請求項９】
前記機能部は、通信装置の操作の制限処理として通信キャリアの変更を制限することを特徴とする請求項１記載の通信装置。
【請求項１０】
前記機能部は、通信装置の操作の制限処理として電子マネーの使用を制限することを特徴とする請求項１記載の通信装置。
【請求項１１】
前記機能部は、通信装置の操作の制限処理としてネット家電の操作を制限することを特徴とする請求項１記載の通信装置。
【請求項１２】
前記機能部は、通信装置の操作の制限処理として通信装置のメモリへのアクセスを制限することを特徴とする請求項１記載の通信装置。
【請求項１３】
前記機能部は、通信装置の操作の制限処理として通信装置の所有者の意図なく前記通信装置が通信可能範囲内にある場合に、前記通信装置の操作を制限することを特徴とする請求項１記載の通信装置。
【請求項１４】
前記機能部は、通信装置の操作の制限処理として、通信装置が通信可能範囲内にある場合に、生体認証技術を用いることにより、前記通信装置所有者以外のユーザが前記通信装置の使用が可能となるように通信装置の操作を制限することを特徴とする請求項１記載の通信装置。
【請求項１５】
前記機能部は、通信装置の操作の制限処理として通信装置機能の書き換えに用いるソフトウェアの取得制限することを特徴とする請求項１記載の通信装置。
【請求項１６】
前記機能部は、通信装置の操作の制限処理として、通信装置機能の書き換えに用いるプログラムの取得を制限することを特徴とする請求項１記載の通信装置。
【発明の詳細な説明】
【０００１】
【発明の属する技術分野】
本発明は、セキュリティに係り、例えばＳＤＲ（ソフトウェア無線）のユーザ認証方式における通信装置に関する。
【０００２】
【従来の技術】
近年、無線機、特に携帯電話に代表される端末は、音声通話のみならず、メール、画像のダウンロード等、用途が多様化しており、金銭に関わる用途、例えばチケット購入、モバイルバンキング等の使用も可能となっている。また、無線機の変復調、音声符号化等の機能をソフトウェアで実現することが検討されており、ユーザはソフトウェアをダウンロードや外部メモリ等から入手することにより、無線機の機能変更が可能となる。このような無線機の進化につれ、無線機のセキュリティ向上への要求も高まっている。
【０００３】
ここで、従来のセキュリティ技術として、例えば特許文献１を挙げる。
【０００４】
特許文献１では、端末紛失時において、紛失した端末のデータを保護、回収するために、無線ネットワーク側のセキュリティコントローラから特定信号を無線端末に送信し、データを保護、回収する方法が示されている。
【０００５】
【特許文献１】
特開平９−２１５０５７号公報
【０００６】
【発明が解決しようとする課題】
従来の方式では、紛失した端末のデータを保護、回収するためには、端末は無線ネットワーク側のセキュリティコントローラからの特定信号が受信可能である場所にあることが前提となっている。
【０００７】
しかし、例えば悪意のある人間による盗難の場合、窃盗者がセキュリティコントローラからの特定信号を受信できない場所に移動したりアンテナを破壊したりすることにより、端末のデータを盗み見る、取得する等の可能性は否定できない。このように、従来の方法ではセキュリティ、特に紛失時におけるセキュリティが不十分である。
【０００８】
また、セキュリティ向上のために、端末操作をロックする設定方法やパスワードの複雑化を図ると、入力の煩わしさ、記憶しておくことの煩わしさ等、ユーザにとっての煩わしさが増加してしまうという課題もある。
【０００９】
【課題を解決するための手段】
本発明は、ユーザの認証が可能な通信装置であって、送信側において無線認証信号を発生する無線認証信号発生手段を具備し、受信側において前記無線認証信号を受信する受信部と、前記無線認証信号を用いたユーザの認証および通信装置における認証を行う認証部と、前記認証部の認証結果より前記通信装置の操作の制限処理を行う機能部とを具備することを特徴とする通信装置である。前記無線認証信号発生手段は、ユーザの体内、または体外に装着されたことを特徴とし、また、前記認証部は、通信装置における認証方法として暗証番号認証または生体識別技術を用いた認証を使用することを特徴とする通信装置である。
【００１０】
上記手段により、セキュリティ、特に紛失時におけるセキュリティを高め、またユーザを煩わしさを増加させることなくセキュリティを向上させることを可能とする作用を有する。
【００１１】
【発明の実施の形態】
本発明の通信方法は、送信側でユーザＩＤ情報に対応した無線認証信号を送信し、受信側で無線認証信号のユーザＩＤ情報に基づきユーザ認証を行い、認証されたユーザに対し、受信側の通信装置においてユーザＩＤ情報に対応した操作を可能とする。
【００１２】
本発明の送信装置は、ユーザＩＤ情報を登録するＩＤ登録部を具備し、一定時間毎にクロックを生成するクロック生成部を具備し、送信情報を生成する情報生成部を具備し、送信信号を生成し送信する送信部を具備する。
【００１３】
本発明の受信装置は、ユーザＩＤ情報を登録するＩＤ登録部を具備し、送信装置からの無線認証信号を受信する無線認証信号受信部を具備し、ユーザの入力を処理する入力部を具備し、ユーザの認証を行う認証部を具備し、送信信号を受信する受信部を具備し、各種機能を所有し、また機能書き換えが行われる機能部を具備する。
【００１４】
以下、本発明の実施の形態について図面を用いて説明する。
【００１５】
（実施の形態１）
本実施の形態では、ユーザ認証を可能とする通信装置において、登録されたユーザ情報に基づきユーザ認証信号の送信を行うことができる送信装置、ユーザ認証信号に基づき通信装置の操作制限を行うことができる受信装置について説明する。
【００１６】
以下では、ユーザ認証を可能とする通信装置として、無線通信が可能な端末を例に説明を行うが、通信装置はこの無線通信が可能な端末に限ったものではなく、有線ネットワークに接続されたパソコン等でもよい。
【００１７】
また、端末における受信信号は、無線通信によりアンテナから受信するものとして説明を行うが、構成はこの構成に限ったものではなく、有線など、信号を受信できる構成であればよい。
【００１８】
図１は、本実施の形態における通信方法の概念図を示している。
【００１９】
無線認証信号受信エリア１０４は、無線発生装置１０１が発生した無線認証信号が受信可能となるエリアを示したものである。
【００２０】
端末１０２は、無線認証信号受信エリア１０４の圏内にある端末を示したものである。端末１０３は、無線認証信号受信エリア１０４の圏外にある端末を示したものである。
【００２１】
図２は、本実施の形態におけるユーザと端末の位置関係の概念図を示したものである。
【００２２】
無線認証信号受信エリア２０１は、体内もしくは体外に無線認証信号発生装置を所有するユーザ２０２が発生した無線認証信号が受信可能となるエリアを示したものである。端末２０３は、無線認証信号受信エリア２０１の圏内にあり、ユーザ２０２と接触している端末を示したものである。端末２０４は、無線認証信号受信エリア２０１の圏内にあり、ユーザ２０２と接触していない端末を示したものである。
【００２３】
端末２０５は、無線認証信号受信エリア２０１の圏外にある端末を示したものである。
【００２４】
図３は、本実施の形態におけるユーザの、送信装置の構成の一例を示したものである。
【００２５】
ＩＤ登録部３０１は、ユーザＩＤ情報３０２を出力する。クロック生成部３０８は、クロック信号３０９を出力する。情報生成部３０３は、ユーザＩＤ情報３０２、クロック信号３０９を入力とし、送信ユーザＩＤ情報３０４を出力する。送信部３０５は、送信ユーザＩＤ情報３０４を入力とし、送信信号３０６を出力し、送信アンテナ３０７から送信する。
【００２６】
図４は、本実施の形態における端末の、受信装置の構成の一例を示したものである。
【００２７】
入力部４０５は、ユーザＩＤ４０１、暗証番号４０２、生体認証信号４０３、ユーザ要求情報４０４を入力とし、機能要求信号４０６、入力認証信号４０７を出力する。機能部４０８は、機能要求信号４０６、受信データ４０９、認証許可信号４１４を入力とし、各種機能の実行、書き換えを行う。受信部４１０は、受信アンテナ４１２で受信した受信信号４１１、認証許可信号４１４を入力とし、受信データ４０９を出力する。ＩＤ登録部４１９は、ユーザＩＤ情報４２０を出力する。無線認証信号受信部４１７は、受信アンテナ４１５で受信した受信信号４１６、ユーザＩＤ情報４２０を入力とし、ユーザ認証信号４１８を出力する。認証部４１３は、入力認証信号４０７、ユーザ認証信号４１８、ユーザＩＤ情報４２０を入力とし、認証許可信号４１４を出力する。
【００２８】
図５は、本実施の形態における、ユーザ、端末間の認証方法の一例をフローチャートで示したものであり、無線認証信号受信判定５０２、ユーザＩＤ、暗証番号判定５０３を用いている。
【００２９】
図６は、本実施の形態における、ユーザ、端末間の認証方法の一例をフローチャートで示したものであり、無線認証信号受信判定６０２、ユーザＩＤ、暗証番号判定６０３、生体認証判定６０４を用いている。
【００３０】
図７は、本実施の形態における、端末が無線認証信号受信圏外に出た場合のユーザ、端末間の認証方法の一例をフローチャートで示したものであり、ユーザのモードとして「ＧＵＥＳＴ」７０１、「ＮＯＲＭＡＬ」７０２、「ＳＵＰＥＲ」７０３を示したものである。
【００３１】
図８は、本実施の形態における端末の、送信装置の構成の一例を示したものであり、図４と同一の動作をする部分については同一の符号を付してある。
【００３２】
情報生成部８０１は、機能要求信号４０６、認証許可信号４１４を入力として、送信情報信号８０２を出力する。送信部８０３は、送信情報信号８０２、認証許可信号４１４を入力信号として、送信信号８０４を出力し、送信アンテナ８０５から出力する。
【００３３】
以上、図１、図２、図３、図４、図５、図６、図７、図８を用いて本実施の形態における無線認証信号発生装置および端末について詳しく説明する。
【００３４】
端末における認証技術として最も普及している技術はユーザＩＤと暗証番号による認証であるが、ユーザは日々使用する端末に複雑な暗証番号をかけることに煩わしさを感じ、暗証番号を簡易なものとするばかりでなく暗証番号の設定そのものを行わない場合もある。このような暗証番号によるセキュリティは明らかに脆弱であり、また、常時設定していない場合は紛失時において何のセキュリティの役割も果たさないことすらある。よって、今後開発される端末においては、これまでとは別の認証技術を用いてセキュリティを確保することが期待され、具体的にはユーザの煩わしさを増加させることなく、常時認証が行われているセキュリティ技術が期待される。
【００３５】
本発明では、ユーザ側および端末側において、ユーザＩＤ登録部を用意する。ユーザ側において、あらかじめ登録しておいたユーザＩＤ情報を無線認証信号として端末に送信し、端末において認証を実行し、ユーザＩＤ情報に対応した無線端末の操作制限を行う。ここで無線認証信号は、ある一定間隔、例えば１分おきに送信される。これにより、紛失時においても、他人は無線認証信号中のユーザＩＤ情報が異なるため端末を操作することができない。また、セキュリティ確保のために長い暗証番号を記憶し入力するというようなユーザの煩わしさの増加もない。
【００３６】
以上より、本発明はユーザの煩わしさを増加させることなく端末のセキュリティを向上させることができ、特に紛失時における効果が絶大である。
【００３７】
図１、２を用いて本実施の形態の概念を説明する。
【００３８】
図１の無線認証信号発生装置１０１において発生する無線認証信号は、図１の無線認証信号受信エリア１０４の範囲において受信可能とする。無線認証信号では、あらかじめ登録されたユーザＩＤ情報が送信される。無線認証信号受信エリア１０４の圏内にいる図１の端末１０２は、無線認証信号を受信し、受信したユーザＩＤ情報および端末１０２にあらかじめ登録されたユーザＩＤ情報に基づき認証を行い、ユーザＩＤ情報に対応した端末の操作制限を行う。
【００３９】
端末１０２に対し、図１の端末１０３は無線認証信号受信エリア１０４の圏外にあるため認証が許可されない。この場合、端末１０３はごく限られた端末の機能のみ操作可能となるが、詳細は以降で説明する。
【００４０】
ここで、ユーザＩＤ情報による端末の操作制限の対象となるのは、無線機の変復調、割り当て周波数帯、割り当て周波数帯域幅、フィルタ、アップ／ダウンコンバータ、音声符号化、画像符号化、通信プロトコル、認証アルゴリズム等の端末機能をソフトウェアやプログラムを用いて書き換えること、通信キャリアの変更、電子マネーの使用、ネット家電の操作、端末のメモリ内にある電話帳、アドレス帳、メール、文書ファイル、画像ファイル、音声ファイル等へのアクセス、等である。
【００４１】
また、家庭やオフィス内の無線ＬＡＮやセルラーシステム等の近距離無線通信において、端末所有者の意図することなく端末が基地局からの電波を受信できる範囲内にある場合も、機能部４０８により端末の操作制限を行うことができる。
【００４２】
また、家庭やオフィス内の無線ＬＡＮやセルラーシステム等の近距離無線通信において、端末が基地局からの電波を受信できる範囲内にある場合、指紋認証等の生体認証技術を用いることにより、端末所有者とは異なるユーザであっても端末の使用を可能とするような操作制限を機能部４０８により施すことも可能となる。
【００４３】
また、端末機能の書き換えに用いるソフトウェア、プログラムは、基地局や衛星からのダウンロード、外部メモリ等から取得するが、これも機能部４０８により端末の操作制限を行うことができる。
【００４４】
図２は、ユーザと端末の位置関係の概念図を示したものであり、ユーザ２０２は図１の無線認証信号発生装置１０１に対応する。
【００４５】
端末２０３は、無線認証信号受信エリア２０１の圏内でユーザ２０２と接触している状態、例えば端末を持って使用している場合であり、また端末２０４は、無線認証信号受信エリア２０１の圏内でユーザ２０２と接触していない状態、例えば端末をノートパソコンに差し込んでいる状態である。端末２０３、２０４は、どちらも無線認証信号によるユーザ認証に合格しており、ユーザＩＤ情報に応じた端末の使用が可能である。
【００４６】
また、端末２０５は、無線認証信号受信エリア２０１の圏外にある端末を示したものであり、例えば置き忘れや盗難により端末を紛失した場合である。このように、紛失の際には端末が無線認証信号を受信できなくなるため、ユーザＩＤ情報の異なる他人が端末２０５のユーザになりすまして使用することを防ぐことができる。
【００４７】
図３、４を用いて、無線認証信号発生装置、端末の動作について説明する。
【００４８】
図３の情報生成部３０３は、図３のＩＤ登録部３０１にあらかじめ登録されたユーザＩＤ情報３０２、例えばユーザの氏名、学籍番号、社員番号、住民基本台帳に記された住民票コード、使用できるソフトウェアのライセンス等を、図３のクロック生成部３０８が生成するクロック信号３０９に合わせて一定間隔、例えば１分おきに送信ユーザＩＤ情報３０４として生成し、送信部３０５により送信信号３０６として送信する。ここで、図３の無線認証信号発生装置において、無線認証信号となる送信信号３０６を発生する装置としては、ユーザの体内に埋められた、あるいは体外に付けられた無線ＩＣチップ、ＵＷＢ（Ｕｌｔｒａ  Ｗｉｄｅ  Ｂａｎｄ）方式を使用する無線装置等が考えられる。
【００４９】
図４の無線認証信号受信部４１７は、図３の送信信号３０６に対応する受信信号４１６を受信し、送信されてきたユーザＩＤ情報３０２および端末側にあらかじめ登録されていたユーザＩＤ情報４２０に基づきユーザ認証を行い、ユーザ認証信号４１８、例えばソフトウェアライセンス情報や使用可能となる端末機能や書き換えが許可された無線機能の情報等を認証部４１３に出力する。
【００５０】
図４の認証部４１３は、入力認証信号４０７、ユーザ認証信号４１８、ユーザＩＤ情報４２０を入力とし、認証許可信号４１４を出力する。ここで、入力認証信号４０７は、入力部４０５において入力されたユーザＩＤ４０１、暗証番号４０２、生体認証信号４０３、ユーザ要求情報４０４に対応するものであり、生体認証信号４０３は、指紋認証、声紋認証、掌紋認証、顔貌認証、虹彩認証、網膜認証、指静脈認証、署名認証、等の技術を用いて生成される信号である。一般に、生体認証技術は認証誤り率が低く信頼性の高い技術として知られているが、装置の小型化が難しく価格も高い等、問題点も多い。また、ユーザ要求情報４０４の例としては、電子マネーを使用したい、メールを送りたい、無線の変復調方式を変えたい等が考えられる。
【００５１】
機能部４０８は、認証許可信号４１４で送信されるユーザ権限情報に基づき、機能要求信号４０６および受信データ４０９を用いて、各種機能の実行、書き換え等を行う。
【００５２】
ここで、前記ユーザ権限情報について、図５、図６、図７を用いて説明する。
【００５３】
図５は、ユーザ権限の分類の一例として、あらゆる操作や機能書き換えに関しての権限を持つ「ＳＵＰＥＲ」５０６、通常使用する「ＮＯＲＭＡＬ」５０５、ごく限られた機能のみ、例えば緊急時に警察や消防に電話する等、が使用できる「ＧＵＥＳＴ」５０４の３つに分類する場合の認証方法の一例をフローチャートで示したものである。
【００５４】
認証開始部５０１において認証が開始されると、全てのユーザは無線認証判定５０２を受ける。無線認証に合格したユーザはＹＥＳに進み、ユーザＩＤおよび暗証番号判定５０３を受ける。無線認証に不合格となったユーザはＮＯに進み、「ＧＵＥＳＴ」５０４となる。ユーザＩＤおよび暗証番号認証に合格したユーザはＹＥＳに進み、「ＳＵＰＥＲ」５０６となり、不合格となったユーザは「ＮＯＲＭＡＬ」５０５となる。
【００５５】
ここで、無線認証判定の後に用いる判定としてユーザＩＤおよび暗証番号判定５０３を使用したが、他の判定方法、例えば生体認証判定等を用いてもよい。
【００５６】
図６は、ユーザ権限の分類の一例として、あらゆる操作や機能書き換えに関しての権限を持つ「ＳＵＰＥＲ」、通常使用する「ＮＯＲＭＡＬ」、ごく限られた機能のみ、例えば緊急時に警察や消防に電話する等、が使用できる「ＧＵＥＳＴ」の３つに分類する場合の認証方法の別の一例をフローチャートで示したものである。
【００５７】
認証開始部６０１において認証が開始されると、全てのユーザは無線認証判定６０２を受ける。無線認証に合格したユーザはＹＥＳに進み、ユーザＩＤおよび暗証番号判定６０３を受ける。無線認証に不合格となったユーザはＮＯに進み、「ＧＵＥＳＴ」６０５となる。ユーザＩＤおよび暗証番号認証に合格したユーザはＹＥＳに進み、生体認証判定６０４を受ける。ユーザＩＤおよび暗証番号認証に不合格となったユーザはＮＯに進み、「ＧＵＥＳＴ」６０５となる。生体認証判定６０４に合格したユーザは「ＳＵＰＥＲ」６０７となり、不合格となったユーザは「ＮＯＲＭＡＬ」６０６となる。
【００５８】
図６は、図５に示したフローチャートと比較して認証回数が１回多い。「ＮＯＲＭＡＬ」や「ＳＵＰＥＲ」となることに高いセキュリティをかけたい場合、このような方法が考えられる。
【００５９】
ここで、無線認証判定の後に用いる判定としてユーザＩＤおよび暗証番号判定６０３および生体認証判定６０４を使用したが、他の判定方法、例えば磁気カード認証等を用いてもよい。また、判定を行う順番についてもこの順番に限ったものではない。
【００６０】
次に、端末が無線認証信号受信圏外に出た場合の、ユーザ、端末間の認証方法の一例を図７を用いて示す。
【００６１】
「ＧＵＥＳＴ」７０１の場合、「ＧＵＥＳＴ」のままで変化はない。
【００６２】
「ＮＯＲＭＡＬ」７０２の場合、圏外に出た際には「ＨＯＬＤ」に変化する。ここで、「ＨＯＬＤ」とは簡単な認証、例えばボタン１つを押すことにより「ＮＯＲＭＡＬ」への復帰が可能となるモードである。「ＨＯＬＤ」となった端末は、再び無線認証信号受信圏内に入った場合、ユーザＩＤおよび暗証番号判定７０４を受け、合格となったユーザは「ＮＯＲＭＡＬ」に復帰し、不合格となったユーザは「ＧＵＥＳＴ」となる。
【００６３】
ここで、「ＨＯＬＤ」モードで一定時間、例えば３０分経過した場合には自動的に「ＧＵＥＳＴ」となるような構成も考えられる。
【００６４】
また、「ＮＯＲＭＡＬ」から「ＨＯＬＤ」への移行前に、電子音、画面表示、ランプ点灯等を用いて「ＨＯＬＤ」への移行を警告することにより、ユーザが改めてユーザＩＤおよび暗証番号認証を行うという煩わしさを避ける構成も考えられる。
【００６５】
「ＳＵＰＥＲ」７０３の場合、圏外に出た際には、上記「ＮＯＲＭＡＬ」の場合と同様に「ＨＯＬＤ」に変化する。「ＨＯＬＤ」となった端末は、再び無線認証信号受信圏内に入った場合、ユーザＩＤおよび暗証番号判定７０４を受け、合格となったユーザは「ＳＵＰＥＲ」に復帰し、不合格となったユーザは、盗難等に対するセキュリティを確保するため「ＮＯＲＭＡＬ」を飛び越え「ＧＵＥＳＴ」となる。
【００６６】
ここで、再認証に対するユーザの煩わしさを軽減する目的で、「ＧＵＥＳＴ」ではなく「ＮＯＲＭＡＬ」に移行する構成も考えられる。
【００６７】
また、「ＳＵＰＥＲ」から「ＨＯＬＤ」への移行前に、上記「ＮＯＲＭＡＬ」から「ＧＵＥＳＴ」への移行と同様、電子音、画面表示、ランプ点灯等を用いて「ＨＯＬＤ」への移行を警告することにより、ユーザが改めてユーザＩＤおよび暗証番号認証を行うという煩わしさを避ける構成も考えられる。
【００６８】
端末の送信装置の動作について、図８を用いて説明する。
【００６９】
ユーザが、図８のユーザ要求情報４０４として、例えば無線機の変復調方式を変更したい、使用周波数を広げたい等の要求を出した場合、端末はユーザ認証を行うとともに要求を基地局に送信する必要がある。
【００７０】
情報生成部８０１は、認証許可信号４１４に基づき前記ユーザ要求が許可された場合に、前記ユーザ要求を送信情報信号８０２として出力し、送信情報信号８０２は、送信部８０３を経由して送信アンテナ８０５から送信される。
【００７１】
本実施の形態において、ユーザ権限の分類の別の一例として、ユーザへの周波数割り当て帯域幅や割り当て周波数帯や時間スロット数等を逐次変更することにより、超高速通信を可能にする「ＲＯＣＫＥＴ」、高速通信を可能にする「ＪＥＴ」、標準の通信速度の「ＣＥＳＳＮＡ」と分類する方法も考えられる。
【００７２】
本実施の形態において、ユーザ権限の分類の別の一例として、ユーザへの周波数割り当て帯域幅や割り当て周波数帯や時間スロット数等を逐次変更することにより、通信中の切断が起こる可能性が極めて低い「ＶＩＰ」、可能性が低い「ＰＲＯＦＥＳＳＩＯＮＡＬ」、可能性が従来同様にある「ＳＴＡＮＤＡＲＤ」と分類する方法も考えられる。
【００７３】
以上より、ユーザ認証を可能とする通信装置において、ユーザの体内に埋められた、またはユーザの体外に付けられた無線認証信号発生装置からユーザ認証信号を送信し、通信装置において前記ユーザ認証信号を用いてユーザ認証を行い、前記ユーザ認証および端末におけるユーザＩＤ、暗証番号、生体認証技術を用いた認証に基づき通信装置の操作制限を行うことで、セキュリティ、特に紛失時におけるセキュリティを高め、またユーザを煩わすことなくセキュリティを向上させることができる。
【００７４】
【発明の効果】
以上のように、本発明によれば、ユーザの認証が可能な通信装置であって、送信側において無線認証信号を発生する無線認証信号発生手段を具備し、受信側において前記無線認証信号を受信する受信部と、前記無線認証信号を用いたユーザの認証および通信装置における認証を行う認証部と、前記認証部の認証結果より前記通信装置の操作の制限処理を行う機能部とを具備することを特徴とするため、従来の通信装置と比較してセキュリティ、特に紛失時におけるセキュリティを高め、またユーザの煩わしさを増加させることなくセキュリティを向上させることができるという効果を有する。
【図面の簡単な説明】
【図１】本発明の実施の形態における通信方法の概念図を示す図
【図２】同実施の形態におけるユーザと端末の位置関係の概念図を示す図
【図３】同実施の形態におけるユーザの、送信装置の構成の一例を示す図
【図４】同実施の形態における端末の、受信装置の構成の一例を示す図
【図５】同実施の形態における、ユーザ、端末間の認証方法の一例を示す図
【図６】同実施の形態における、ユーザ、端末間の認証方法の一例を示す図
【図７】同実施の形態における、端末が無線認証信号受信圏外に出た場合のユーザ、端末間の認証方法の一例を示す図
【図８】同実施の形態における、送信装置の構成の一例を示す図
【符号の説明】
１０１  無線発生装置
１０２  端末
１０３  端末
１０４  無線認証信号受信エリア
２０１  無線認証信号受信エリア
２０２  ユーザ
２０３  端末
２０４  端末
２０５  端末
３０１  ＩＤ登録部
３０２  ユーザＩＤ情報
３０３  情報生成部
３０４  送信ユーザＩＤ情報
３０５  送信部
３０６  送信信号
３０７  送信アンテナ
４０１  ユーザＩＤ
４０２  暗証番号
４０３  生体認証信号
４０４  ユーザ要求情報
４０５  入力部
４０６  機能要求信号
４０７  入力認証信号
４０８  機能部
４０９  受信データ
４１０  受信部
４１１  受信信号
４１２  受信アンテナ
４１３  認証部
４１４  認証許可信号
４１５  受信アンテナ
４１６  受信信号
４１７  無線認証信号受信部
４１８  ユーザ認証信号
４１９  ＩＤ登録部
４２０  ユーザＩＤ情報
５０１  認証開始部
５０２  無線認証信号受信判定
５０３  ユーザＩＤ、暗証番号判定
６０１  認証開始部
６０２  無線認証信号受信判定
６０３  ユーザＩＤ、暗証番号判定
６０４  生体認証判定
７０４  ユーザＩＤ、暗証番号判定
７０５  ユーザＩＤ、暗証番号判定
８０１  情報生成部
８０２  送信情報信号
８０３  送信部
８０４  送信信号
８０５  送信アンテナ
【図１】
2004235952.tif 000003
【図２】
2004235952.tif 000004
【図３】
2004235952.tif 000005
【図４】
2004235952.tif 000006
【図５】
2004235952.tif 000007
【図６】
2004235952.tif 000008
【図７】
2004235952.tif 000009
【図８】
2004235952.tif 000010